(57)【特許請求の範囲】
【請求項１】
バイオセラミック入れ歯のクリーニング装置であり、本体を含み、前記本体の中にはクリーニング空間が設置され、前記クリーニング空間の上側にはプーリ空間が設置され、前記クリーニング空間の下側には底部空間が設置され、前記プーリ空間と前記底部空間とが側辺空間により連通され、前記底部空間と前記プーリ空間との間にはバイオセラミック入れ歯をクリーニングできる除去装置が設置され、
前記除去装置は前記底部空間の底壁に固定的に取り付けられたクリーニングモーターを含み、前記クリーニングモーターには前記底部空間の頂壁と回転できるように連結された動力軸が伝動可能に連結され、前記動力軸の上側には第一歯車が固定的に設置され、前記底部空間の上側側壁と下側側壁には前記第一歯車と噛み合った回転軸が回転可能に連結され、前記回転軸が上方に伸びて前記底部空間の頂壁を貫通して前記クリーニング空間の中に入り、さらに前記クリーニング空間の底壁と回転可能に連結され、前記回転軸の中にはスライドキーがスライド可能に連結され、前記スライドキーには前記回転軸の内壁とスライド可能に連結されたクリーニング軸がスライド可能に連結され、前記側辺空間の底壁と前記プーリ空間の頂壁との間には縦軸が回転可能に連結され、前記縦軸の底部には前記第一歯車と噛み合った第二歯車が固定的に設置され、前記プーリ空間の上側側壁と下側側壁にはプーリ軸が回転可能に連結され、前記プーリ軸が下方に伸びて前記クリーニング空間の中に入り、さらに前記クリーニング空間の頂壁と回転可能に連結され、前記プーリ軸には第一プーリが固定的に設置され、前記縦軸にも第一プーリが固定的に設置され、前記プーリ軸にある前記第一プーリと前記縦軸にある前記第一プーリとが左右対称となり、二つの前記第一プーリは第一ベルトにより連結され、前記プーリ軸の下側にはクリーニング盤が固定的に設置され、前記クリーニング軸の上側にもクリーニング盤が固定的に設置され、前記プーリ軸の下側にある前記クリーニング盤と前記クリーニング軸の上側にある前記クリーニング盤とが上下対称となり、下側の前記クリーニング盤の中には環状空間が設置され、各前記クリーニング盤において互いに近接する側面にはバイオセラミック入れ歯を洗浄するための軟質ブラシが固定的に設置され、前記クリーニング空間の底壁には液圧機械が固定的に取り付けられ、前記液圧機械には前記環状空間と回転可能に連結されたＴ型ロッドが固定的に設置され、
前記クリーニング空間の左側壁には円形空間が前記クリーニング空間と連通するように設置され、前記円形空間の左側壁には浸し空間が設置され、前記浸し空間の後側には後側空間が設置され、前記円形空間の右側には洗浄液空間が設置され、前記洗浄液空間の頂壁と前記浸し空間の右側側壁とが水排出溝により連通され、前記洗浄液空間の上側には傘歯車空間が設置され、前記傘歯車空間の左側には方形空間が設置され、前記方形空間の頂壁には回転空間が設置され、前記浸し空間と前記回転空間との間には制御装置が設置され、前記制御装置は開口を制御して前記浸し空間にバイオセラミックス専用の洗浄液を添加でき、前記浸し空間の左側側壁には開口空間が設置され、前記浸し空間の左側側壁と前記本体の左側面とが洗浄液を排出できる左側排水口により連通され、前記浸し空間の下側には歯車空間が設置され、前記歯車空間と前記後側空間とが連通空間により連通され、前記歯車空間の左側側壁には前記左側排水口と連通する昇降空間が設置され、前記歯車空間と前記後側空間との間には輸送装置が設置され、前記輸送装置はバイオセラミック入れ歯を前記浸し空間から前記クリーニング空間の中に輸送できることを特徴とするバイオセラミック入れ歯のクリーニング装置。
【請求項２】
前記制御装置は前記傘歯車空間の頂壁に固定的に取り付けられた伝動モーターを含み、前記伝動モーターの下側には前記傘歯車空間の底壁と回転可能に連結されたモーター軸が伝動可能に連結され、前記モーター軸が下方に伸びて前記洗浄液空間の中に入り、さらに前記洗浄液空間の上側側壁及び下側側壁と回転可能に連結され、前記モーター軸には第一傘歯車が固定的に設置され、前記モーター軸の下側には前記洗浄液空間の左側側壁及び右側側壁とスライド可能に連結されたネジ板がネジ山により連結され、前記ネジ板の中にはばね空間が設置され、前記ばね空間の中にはスライドロッドがスライド可能に連結され、前記スライドロッドの右側面と前記ばね空間の右側側壁との間には圧着ばねが連結され、前記スライドロッドの左側には前記洗浄液空間の左側側壁とスライド可能に連結された弾性ゴムスリーブが設置され、前記方形空間の右側側壁と前記傘歯車空間の左側側壁との間には傘歯車軸が回転可能に連結され、前記傘歯車軸の右側には前記第一傘歯車と噛み合った第二傘歯車が固定的に設置され、前記傘歯車軸の左側には第三傘歯車が固定的に設置され、前記方形空間の前側側壁にはウォームホイール軸が回転可能に連結され、前記方形空間の後側側壁にもウォームホイール軸が回転可能に連結され、前記ウォームホイール軸の後側にはウォームホイールが固定的に設置され、前記ウォームホイール軸の前側には前記第三傘歯車と噛み合った第四傘歯車が固定的に設置され、前記回転空間の中には前記ウォームホイールと噛み合ったウォームが回転可能に連結され、前記ウォームの中には前記浸し空間を閉鎖できる閉鎖板がネジ山により連結されていることを特徴とする請求項１に記載のバイオセラミック入れ歯のクリーニング装置。
【請求項３】
前記輸送装置は前記開口空間の左側側壁に固定的に取り付けられたタイマーを含み、前記歯車空間の左側側壁には定時モーターが固定的に取り付けられ、前記タイマーと前記定時モーターとが前記定時モーターを始動できる電線により連結され、前記定時モーターの前側には前記歯車空間の前側側壁と回転可能に連結された歯車軸が伝動可能に連結され、前記歯車軸の後側には第一鎖歯車が固定的に設置され、前記歯車軸の前側には第三歯車が固定的に設置され、前記昇降空間と前記左側排水口の中には前記第三歯車と噛み合った昇降ロッドがスライド可能に連結され、前記昇降ロッドの底面と前記昇降空間の底壁とが昇降ばねにより連結され、前記浸し空間の前側側壁と後側側壁には貫通軸が回転可能に連結され、前記貫通軸が後ろに伸びて前記浸し空間の後側側壁を貫通して前記後側空間の中に入り、さらに前記後側空間の前側側壁及び後側側壁と回転可能に連結され、前記貫通軸の後側には前記第一鎖歯車に対応する第二鎖歯車が固定的に設置され、前記第二鎖歯車と前記第一鎖歯車とが鎖により連結され、前記貫通軸の前側には前記円形空間と前記浸し空間との間を閉鎖できるＬ型ロッドが固定的に設置され、前記Ｌ型ロッドの下側には排水用の抜き穴が設置されていることを特徴とする請求項１に記載のバイオセラミック入れ歯のクリーニング装置。
【請求項４】
前記底部空間の上側には貯水空間が設置され、前記底部空間の上側側壁と下側側壁には押し軸が回転可能に連結され、前記押し軸が上方に伸びて前記貯水空間の中に入り、さらに前記貯水空間の上側側壁及び下側側壁と回転可能に連結され、前記押し軸の上側には前記貯水空間の左側側壁及び右側側壁とスライド可能に連結された押し板がネジ山により連結され、前記押し軸には第二プーリが固定的に設置され、前記動力軸にも第二プーリが固定的に設置され、前記押し軸にある前記第二プーリと前記動力軸にある前記第二プーリとが左右対称となり、二つの前記第二プーリが第二ベルトにより連結され、前記貯水空間と前記クリーニング空間との間には前記貯水空間の中の浄水を入れ歯に吹付けられるノズルが設置されていることを特徴とする請求項１に記載のバイオセラミック入れ歯のクリーニング装置。
【請求項５】
前記クリーニング空間の前側にはドア板が設置され、前記クリーニング空間の後側には後側排水口が設置されていることを特徴とする請求項１に記載のバイオセラミック入れ歯のクリーニング装置。
【請求項６】
上側の前記クリーニング盤と下側の前記クリーニング盤が逆方向に回転することを特徴とする請求項１に記載のバイオセラミック入れ歯のクリーニング装置。
【発明の詳細な説明】
【技術分野】
【０００１】
本願発明は生物医用材料分野に関わり、具体的にはバイオセラミック入れ歯のクリーニング装置である。
【背景技術】
【０００２】
目下、社会の発展と生活水準が高くなることに伴い、人々は休みの間でたくさんの甘いものを食べて口腔の衛生に注意しなく、歯をひどく傷つけ、歯が抜けた人の年齢も低くなり、医療レベルが高いことで中国の人口高齢化が深刻となり、従い、中国では多くの高齢者は入れ歯をつけ、入れ歯の製造材料として最適なのは生物バイオセラミックスであり、でも、多くの人は入れ歯のクリーニングに注意しなく、特に高齢者では、知識レベルが低く、いつも入れ歯をクリーニングしなくてつけることは普通であり、少量の高齢者は入れ歯を外して歯ブラシでクリーニングするが、入れ歯表面についた汚れを除去できても、歯の間に残った細菌を完全に除去できなく、従い、バイオセラミック入れ歯のクリーニング装置に関する発明が必要となる。
【先行技術文献】
【特許文献】
【０００３】
【特許文献１】中国特許出願公開第１０６７２５９５３号明細書
【発明の概要】
【発明が解決しようとする課題】
【０００４】
本願発明の目的はバイオセラミック入れ歯のクリーニング装置を提供し、上記の背景技術に提出した問題を解決することである。
【課題を解決するための手段】
【０００５】
上記の目的を実現するため、本願発明は以下の技術策を提供する。バイオセラミック入れ歯のクリーニング装置であり、本体を含み、前記本体の中にはクリーニング空間が設置され、前記クリーニング空間の上側にはプーリ空間が設置され、前記クリーニング空間の下側には底部空間が設置され、前記プーリ空間と前記底部空間とが側辺空間により連通され、前記底部空間と前記プーリ空間との間にはバイオセラミック入れ歯をクリーニングできる除去装置が設置され、
前記除去装置は前記底部空間の底壁に固定的に取り付けられたクリーニングモーターを含み、前記クリーニングモーターには前記底部空間の頂壁と回転できるように連結された動力軸が伝動可能に連結され、前記動力軸の上側には第一歯車が固定的に設置され、前記底部空間の上側側壁と下側側壁には前記第一歯車と噛み合った回転軸が回転可能に連結され、前記回転軸が上方に伸びて前記底部空間の頂壁を貫通して前記クリーニング空間の中に入り、さらに前記クリーニング空間の底壁と回転可能に連結され、前記回転軸の中にはスライドキーがスライド可能に連結され、前記スライドキーには前記回転軸の内壁とスライド可能に連結されたクリーニング軸がスライド可能に連結され、前記側辺空間の底壁と前記プーリ空間の頂壁との間には縦軸が回転可能に連結され、前記縦軸の底部には前記第一歯車と噛み合った第二歯車が固定的に設置され、前記プーリ空間の上側側壁と下側側壁にはプーリ軸が回転可能に連結され、前記プーリ軸が下方に伸びて前記クリーニング空間の中に入り、さらに前記クリーニング空間の頂壁と回転可能に連結され、前記プーリ軸には第一プーリが固定的に設置され、前記縦軸にも第一プーリが固定的に設置され、前記プーリ軸にある前記第一プーリと前記縦軸にある前記第一プーリとが左右対称となり、二つの前記第一プーリは第一ベルトにより連結され、前記プーリ軸の下側にはクリーニング盤が固定的に設置され、前記クリーニング軸の上側にもクリーニング盤が固定的に設置され、前記プーリ軸の下側にある前記クリーニング盤と前記クリーニング軸の上側にある前記クリーニング盤とが上下対称となり、下側の前記クリーニング盤の中には環状空間が設置され、各前記クリーニング盤において互いに近接する側面にはバイオセラミック入れ歯を洗浄するための軟質ブラシが固定的に設置され、前記クリーニング空間の底壁には液圧機械が固定的に取り付けられ、前記液圧機械には前記環状空間と回転可能に連結されたＴ型ロッドが固定的に設置され、
前記クリーニング空間の左側壁には円形空間が前記クリーニング空間と連通するように設置され、前記円形空間の左側壁には浸し空間が設置され、前記浸し空間の後側には後側空間が設置され、前記円形空間の右側には洗浄液空間が設置され、前記洗浄液空間の頂壁と前記浸し空間の右側側壁とが水排出溝により連通され、前記洗浄液空間の上側には傘歯車空間が設置され、前記傘歯車空間の左側には方形空間が設置され、前記方形空間の頂壁には回転空間が設置され、前記浸し空間と前記回転空間との間には制御装置が設置され、前記制御装置は開口を制御して前記浸し空間にバイオセラミックス専用の洗浄液を添加でき、前記浸し空間の左側側壁には開口空間が設置され、前記浸し空間の左側側壁と前記本体の左側面とが洗浄液を排出できる左側排水口により連通され、前記浸し空間の下側には歯車空間が設置され、前記歯車空間と前記後側空間とが連通空間により連通され、前記歯車空間の左側側壁には前記左側排水口と連通する昇降空間が設置され、前記歯車空間と前記後側空間との間には輸送装置が設置され、前記輸送装置はバイオセラミック入れ歯を前記浸し空間から前記クリーニング空間の中に輸送できる。
【０００６】
前記制御装置は前記傘歯車空間の頂壁に固定的に取り付けられた伝動モーターを含み、前記伝動モーターの下側には前記傘歯車空間の底壁と回転可能に連結されたモーター軸が伝動可能に連結され、前記モーター軸が下方に伸びて前記洗浄液空間の中に入り、さらに前記洗浄液空間の上側側壁及び下側側壁と回転可能に連結され、前記モーター軸には第一傘歯車が固定的に設置され、前記モーター軸の下側には前記洗浄液空間の左側側壁及び右側側壁とスライド可能に連結されたネジ板がネジ山により連結され、前記ネジ板の中にはばね空間が設置され、前記ばね空間の中にはスライドロッドがスライド可能に連結され、前記スライドロッドの右側面と前記ばね空間の右側側壁との間には圧着ばねが連結され、前記スライドロッドの左側には前記洗浄液空間の左側側壁とスライド可能に連結された弾性ゴムスリーブが設置され、前記方形空間の右側側壁と前記傘歯車空間の左側側壁との間には傘歯車軸が回転可能に連結され、前記傘歯車軸の右側には前記第一傘歯車と噛み合った第二傘歯車が固定的に設置され、前記傘歯車軸の左側には第三傘歯車が固定的に設置され、前記方形空間の前側側壁にはウォームホイール軸が回転可能に連結され、前記方形空間の後側側壁にもウォームホイール軸が回転可能に連結され、前記ウォームホイール軸の後側にはウォームホイールが固定的に設置され、前記ウォームホイール軸の前側には前記第三傘歯車と噛み合った第四傘歯車が固定的に設置され、前記回転空間の中には前記ウォームホイールと噛み合ったウォームが回転可能に連結され、前記ウォームの中には前記浸し空間を閉鎖できる閉鎖板がネジ山により連結されている。
【０００７】
前記輸送装置は前記開口空間の左側側壁に固定的に取り付けられたタイマーを含み、前記歯車空間の左側側壁には定時モーターが固定的に取り付けられ、前記タイマーと前記定時モーターとが前記定時モーターを始動できる電線により連結され、前記定時モーターの前側には前記歯車空間の前側側壁と回転可能に連結された歯車軸が伝動可能に連結され、前記歯車軸の後側には第一鎖歯車が固定的に設置され、前記歯車軸の前側には第三歯車が固定的に設置され、前記昇降空間と前記左側排水口の中には前記第三歯車と噛み合った昇降ロッドがスライド可能に連結され、前記昇降ロッドの底面と前記昇降空間の底壁とが昇降ばねにより連結され、前記浸し空間の前側側壁と後側側壁には貫通軸が回転可能に連結され、前記貫通軸が後ろに伸びて前記浸し空間の後側側壁を貫通して前記後側空間の中に入り、さらに前記後側空間の前側側壁及び後側側壁と回転可能に連結され、前記貫通軸の後側には前記第一鎖歯車に対応する第二鎖歯車が固定的に設置され、前記第二鎖歯車と前記第一鎖歯車とが鎖により連結され、前記貫通軸の前側には前記円形空間と前記浸し空間との間を閉鎖できるＬ型ロッドが固定的に設置され、前記Ｌ型ロッドの下側には排水用の抜き穴が設置されている。
【０００８】
前記底部空間の上側には貯水空間が設置され、前記底部空間の上側側壁と下側側壁には押し軸が回転可能に連結され、前記押し軸が上方に伸びて前記貯水空間の中に入り、さらに前記貯水空間の上側側壁及び下側側壁と回転可能に連結され、前記押し軸の上側には前記貯水空間の左側側壁及び右側側壁とスライド可能に連結された押し板がネジ山により連結され、前記押し軸には第二プーリが固定的に設置され、前記動力軸にも第二プーリが固定的に設置され、前記押し軸にある前記第二プーリと前記動力軸にある前記第二プーリとが左右対称となり、二つの前記第二プーリが第二ベルトにより連結され、前記貯水空間と前記クリーニング空間との間には前記貯水空間の中の浄水を入れ歯に吹付けられるノズルが設置されている。
【０００９】
前記クリーニング空間の前側にはドア板が設置され、前記クリーニング空間の後側には後側排水口が設置されている
【００１０】
上側の前記クリーニング盤と下側の前記クリーニング盤が逆方向に回転する。
【発明の効果】
【００１１】
以上により、本願発明の効果は：生活水準が高くなることに伴い、人々は休みの間でたくさんの甘いものを食べて口腔の衛生に注意しなく、歯をひどく傷つけ、歯が抜けた人の年齢も低くなり、医療レベルが高いことで中国の人口高齢化が深刻となり、従い、中国では多くの高齢者は入れ歯をつけ、入れ歯の製造材料として最適なのは生物バイオセラミックスであり、でも、多くの人は入れ歯のクリーニングに注意しなく、特に高齢者では、知識レベルが低く、いつも入れ歯をクリーニングしなくてつけることは普通であり、少量の高齢者は入れ歯を外して歯ブラシでクリーニングするが、入れ歯表面についた汚れを除去できても、歯の間に残った細菌を完全に除去できなく、本願発明は洗浄液により、入れ歯を浸し、そしてバイオセラミック入れ歯にある細菌を完全に除去し、次に、クリーニング装置にある軟質ブラシにより、入れ歯に対するクリーニングを徹底し、軟質ブラシは最大限で入れ歯の表面を保護し、入れ歯に凸凹を生じさせることを防止し、細菌が隠される可能性を排除し、本願発明は普及する価値がある。
【図面の簡単な説明】
【００１２】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１３】
【図１】図１は本願発明全体の正面構成概略図
【図２】図２は本願発明図１におけるＡの拡大図
【図３】図３は本願発明図１におけるＢ―Ｂ方向からの断面図
【図４】図４は本願発明図１の一部の後側からの断面図
【図５】図５は本願発明図１におけるＣ―Ｃ方向からの断面図
【発明を実施するための形態】
【００１４】
図１〜５を参照し、本願発明はバイオセラミック入れ歯のクリーニング装置であり、本体２０を含み、前記本体２０の中にはクリーニング空間５５が設置され、前記クリーニング空間５５の上側にはプーリ空間４９が設置され、前記クリーニング空間５５の下側には底部空間６９が設置され、前記プーリ空間４９と前記底部空間６９とが側辺空間５７により連通され、前記底部空間６９と前記プーリ空間４９との間にはバイオセラミック入れ歯をクリーニングできる除去装置１０１が設置され、前記除去装置１０１は前記底部空間６９の底壁に固定的に取り付けられたクリーニングモーター６４を含み、前記クリーニングモーター６４には前記底部空間６９の頂壁と回転できるように連結された動力軸６３が伝動可能に連結され、前記動力軸６３の上側には第一歯車６２が固定的に設置され、前記底部空間６９の上側側壁と下側側壁には前記第一歯車６２と噛み合った回転軸６７が回転可能に連結され、前記回転軸６７が上方に伸びて前記底部空間６９の頂壁を貫通して前記クリーニング空間５５の中に入り、さらに前記クリーニング空間５５の底壁と回転可能に連結され、前記回転軸６７の中にはスライドキー６５がスライド可能に連結され、前記スライドキー６５には前記回転軸６７の内壁とスライド可能に連結されたクリーニング軸６６がスライド可能に連結され、前記側辺空間５７の底壁と前記プーリ空間４９の頂壁との間には縦軸５６が回転可能に連結され、前記縦軸５６の底部には前記第一歯車６２と噛み合った第二歯車６１が固定的に設置され、前記プーリ空間４９の上側側壁と下側側壁にはプーリ軸５０が回転可能に連結され、前記プーリ軸５０が下方に伸びて前記クリーニング空間５５の中に入り、さらに前記クリーニング空間５５の頂壁と回転可能に連結され、前記プーリ軸５０には第一プーリ５２が固定的に設置され、前記縦軸５６にも第一プーリ５２が固定的に設置され、前記プーリ軸５０にある前記第一プーリ５２と前記縦軸５６にある前記第一プーリ５２とが左右対称となり、二つの前記第一プーリ５２は第一ベルト５１により連結され、前記プーリ軸５０の下側にはクリーニング盤５３が固定的に設置され、前記クリーニング軸６６の上側にもクリーニング盤５３が固定的に設置され、前記プーリ軸５０の下側にある前記クリーニング盤５３と前記クリーニング軸６６の上側にある前記クリーニング盤５３とが上下対称となり、下側の前記クリーニング盤５３の中には環状空間５８が設置され、各前記クリーニング盤５３において互いに近接する側面にはバイオセラミック入れ歯を洗浄するための軟質ブラシ５４が固定的に設置され、前記クリーニング空間５５の底壁には液圧機械６０が固定的に取り付けられ、前記液圧機械６０には前記環状空間５８と回転可能に連結されたＴ型ロッド５９が固定的に設置され、前記クリーニング空間５５の左側壁には円形空間３４が前記クリーニング空間５５と連通するように設置され、前記円形空間３４の左側壁には浸し空間３０が設置され、前記浸し空間３０の後側には後側空間７９が設置され、前記円形空間３４の右側には洗浄液空間３７が設置され、前記洗浄液空間３７の頂壁と前記浸し空間３０の右側側壁とが水排出溝３５により連通され、前記洗浄液空間３７の上側には傘歯車空間８８が設置され、前記傘歯車空間８８の左側には方形空間７４が設置され、前記方形空間７４の頂壁には回転空間８７が設置され、前記浸し空間３０と前記回転空間８７との間には制御装置１０２が設置され、前記制御装置１０２は開口を制御して前記浸し空間３０にバイオセラミックス専用の洗浄液を添加でき、前記浸し空間３０の左側側壁には開口空間８９が設置され、前記浸し空間３０の左側側壁と前記本体２０の左側面とが洗浄液を排出できる左側排水口２６により連通され、前記浸し空間３０の下側には歯車空間２１が設置され、前記歯車空間２１と前記後側空間７９とが連通空間８５により連通され、前記歯車空間２１の左側側壁には前記左側排水口２６と連通する昇降空間２２が設置され、前記歯車空間２１と前記後側空間７９との間には輸送装置１０３が設置され、前記輸送装置１０３はバイオセラミック入れ歯を前記浸し空間３０から前記クリーニング空間５５の中に輸送できる。
【００１５】
前記制御装置１０２は前記傘歯車空間８８の頂壁に固定的に取り付けられた伝動モーター４２を含み、前記伝動モーター４２の下側には前記傘歯車空間８８の底壁と回転可能に連結されたモーター軸４５が伝動可能に連結され、前記モーター軸４５が下方に伸びて前記洗浄液空間３７の中に入り、さらに前記洗浄液空間３７の上側側壁及び下側側壁と回転可能に連結され、前記モーター軸４５には第一傘歯車４４が固定的に設置され、前記モーター軸４５の下側には前記洗浄液空間３７の左側側壁及び右側側壁とスライド可能に連結されたネジ板４６がネジ山により連結され、前記ネジ板４６の中にはばね空間４７が設置され、前記ばね空間４７の中にはスライドロッド３９がスライド可能に連結され、前記スライドロッド３９の右側面と前記ばね空間４７の右側側壁との間には圧着ばね４８が連結され、前記スライドロッド３９の左側には前記洗浄液空間３７の左側側壁とスライド可能に連結された弾性ゴムスリーブ３８が設置され、前記方形空間７４の右側側壁と前記傘歯車空間８８の左側側壁との間には傘歯車軸４１が回転可能に連結され、前記傘歯車軸４１の右側には前記第一傘歯車４４と噛み合った第二傘歯車４３が固定的に設置され、前記傘歯車軸４１の左側には第三傘歯車７８が固定的に設置され、前記方形空間７４の前側側壁にはウォームホイール軸７７が回転可能に連結され、前記方形空間７４の後側側壁にもウォームホイール軸７７が回転可能に連結され、前記ウォームホイール軸７７の後側にはウォームホイール７５が固定的に設置され、前記ウォームホイール軸７７の前側には前記第三傘歯車７８と噛み合った第四傘歯車７６が固定的に設置され、前記回転空間８７の中には前記ウォームホイール７５と噛み合ったウォーム３６が回転可能に連結され、前記ウォーム３６の中には前記浸し空間３０を閉鎖できる閉鎖板３３がネジ山により連結され、
バイオセラミック入れ歯をクリーニングする時、バイオセラミック入れ歯を前記浸し空間３０の中に置き、そして前記伝動モーター４２を始動し、前記伝動モーター４２が前記モーター軸４５を回転連動させ、前記ネジ板４６を駆動して上方に移動させ、そして前記スライドロッド３９が前記プーリ空間４９の作用で始終に前記洗浄液空間３７の左側側壁とスライドできるように連結され、前記洗浄液空間３７の中にあるセラミック入れ歯に消毒と浸し処理をする用の洗浄液を前記水排出溝３５を介して前記浸し空間３０の中に輸送し、それと同時に前記モーター軸４５が前記第一傘歯車４４と、前記第二傘歯車４３とを駆動して回転させ、前記傘歯車軸４１と、前記第三傘歯車７８とを回転連動させ、さらに前記第四傘歯車７６と前記ウォームホイール軸７７とを回転連動させ、前記ウォームホイール７５とウォーム３６とが駆動されて回転し、前記閉鎖板３３が左方に移動して前記開口空間８９の中に入って前記浸し空間３０を閉鎖し、ここでバイオセラミック入れ歯に浸しと消毒処理を行う。
【００１６】
前記輸送装置１０３は前記開口空間８９の左側側壁に固定的に取り付けられたタイマー３１を含み、前記歯車空間２１の左側側壁には定時モーター８３が固定的に取り付けられ、前記タイマー３１と前記定時モーター８３とが前記定時モーター８３を始動できる電線２９により連結され、前記定時モーター８３の前側には前記歯車空間２１の前側側壁と回転可能に連結された歯車軸２５が伝動可能に連結され、前記歯車軸２５の後側には第一鎖歯車８２が固定的に設置され、前記歯車軸２５の前側には第三歯車２４が固定的に設置され、前記昇降空間２２と前記左側排水口２６の中には前記第三歯車２４と噛み合った昇降ロッド２７がスライド可能に連結され、前記昇降ロッド２７の底面と前記昇降空間２２の底壁とが昇降ばね２３により連結され、前記浸し空間３０の前側側壁と後側側壁には貫通軸８０が回転可能に連結され、前記貫通軸８０が後ろに伸びて前記浸し空間３０の後側側壁を貫通して前記後側空間７９の中に入り、さらに前記後側空間７９の前側側壁及び後側側壁と回転可能に連結され、前記貫通軸８０の後側には前記第一鎖歯車８２に対応する第二鎖歯車８１が固定的に設置され、前記第二鎖歯車８１と前記第一鎖歯車８２とが鎖８４により連結され、前記貫通軸８０の前側には前記円形空間３４と前記浸し空間３０との間を閉鎖できるＬ型ロッド３２が固定的に設置され、前記Ｌ型ロッド３２の下側には排水用の抜き穴２８が設置され、
前記閉鎖板３３が前記開口空間８９に入ってから前記タイマー３１に触れ、前記タイマー３１の定時装置が開けられ、十分後、前記タイマー３１が前記電線２９により前記定時モーター８３を始動し、そして前記歯車軸２５が駆動されて回転し、前記第三歯車２４が駆動されて回転し、前記昇降ロッド２７が駆動されて下方にスライドし、前記左側排水口２６が開けられ、前記浸し空間３０内の洗浄液が排出され、それと同時に、前記歯車軸２５が回転して前記第一鎖歯車８２と、第二鎖歯車８１とを回転連動させ、前記貫通軸８０が駆動されて回転し、前記Ｌ型ロッド３２が駆動されて右方に回転し、前記Ｌ型ロッド３２にあるバイオセラミック入れ歯が前記クリーニング空間５５の中に輸送され、また前記抜き穴２８により前記Ｌ型ロッド３２にある水が排出され、ここで洗浄液が前記クリーニング空間５５の中に入らないように保証できる。
【００１７】
前記底部空間６９の上側には貯水空間７３が設置され、前記底部空間６９の上側側壁と下側側壁には押し軸７１が回転可能に連結され、前記押し軸７１が上方に伸びて前記貯水空間７３の中に入り、さらに前記貯水空間７３の上側側壁及び下側側壁と回転可能に連結され、前記押し軸７１の上側には前記貯水空間７３の左側側壁及び右側側壁とスライド可能に連結された押し板７２がネジ山により連結され、前記押し軸７１には第二プーリ７０が固定的に設置され、前記動力軸６３にも第二プーリ７０が固定的に設置され、前記押し軸７１にある前記第二プーリ７０と前記動力軸６３にある前記第二プーリ７０とが左右対称となり、二つの前記第二プーリ７０が第二ベルト６８により連結され、前記貯水空間７３と前記クリーニング空間５５との間には前記貯水空間７３の中の浄水を入れ歯に吹付けられるノズル９１が設置され、
前記動力軸６３が回転して前記第二プーリ７０を回転連動させ、前記押し軸７１を回転連動させ、前記押し板７２を上方に移動させ、前記貯水空間７３にある浄水を前記ノズル９１を介して入れ歯に吹付け、ここで入れ歯をクリーニングできる。
【００１８】
前記クリーニング空間５５の前側にはドア板９４が設置され、前記クリーニング空間５５の後側には後側排水口９０が設置され、前記回転空間８７により入れ歯を取り出し、前記後側排水口９０により前記クリーニング空間５５の中にある水分が排出される。
【００１９】
上側の前記クリーニング盤５３と下側の前記クリーニング盤５３が逆方向に回転し、こうして入れ歯のクリーニングを徹底できる。
【００２０】
初期に、前記左側排水口２６が前記昇降ロッド２７に閉鎖され、前記閉鎖板３３が一番右にあり、下側の前記クリーニング盤５３が一番下にあり、前記ネジ板４６が一番下にあり、バイオセラミック入れ歯をクリーニングする時、バイオセラミック入れ歯を前記浸し空間３０の中に置き、そして前記伝動モーター４２を始動し、前記伝動モーター４２が前記モーター軸４５を回転連動させ、前記ネジ板４６を駆動して上方に移動させ、そして前記スライドロッド３９が前記プーリ空間４９の作用で始終に前記洗浄液空間３７の左側側壁とスライドできるように連結され、前記洗浄液空間３７の中にあるセラミック入れ歯に消毒と浸し処理をする用の洗浄液を前記水排出溝３５を介して前記浸し空間３０の中に輸送し、それと同時に前記モーター軸４５が前記第一傘歯車４４と、前記第二傘歯車４３とを駆動して回転させ、前記傘歯車軸４１と、前記第三傘歯車７８とを回転連動させ、さらに前記第四傘歯車７６と前記ウォームホイール軸７７とを回転連動させ、前記ウォームホイール７５とウォーム３６とが駆動されて回転し、前記閉鎖板３３が左方に移動して前記開口空間８９の中に入って前記浸し空間３０を閉鎖し、ここでバイオセラミック入れ歯に浸しと消毒処理を行い、前記閉鎖板３３が前記開口空間８９に入ってから前記タイマー３１に触れ、前記タイマー３１の定時装置が開けられ、十分後、前記タイマー３１が前記電線２９により前記定時モーター８３を始動し、そして前記歯車軸２５が駆動されて回転し、前記第三歯車２４が駆動されて回転し、前記昇降ロッド２７が駆動されて下方にスライドし、前記左側排水口２６が開けられ、前記浸し空間３０内の洗浄液が排出され、それと同時に、前記歯車軸２５が回転して前記第一鎖歯車８２と、第二鎖歯車８１とを回転連動させ、前記貫通軸８０が駆動されて回転し、前記Ｌ型ロッド３２が駆動されて右方に回転し、前記Ｌ型ロッド３２にあるバイオセラミック入れ歯が前記クリーニング空間５５の中に輸送され、また前記抜き穴２８により前記Ｌ型ロッド３２にある水が排出され、ここで洗浄液が前記クリーニング空間５５の中に入らないように保証でき、
入れ歯が前記クリーニング空間５５の中に入った後、前記Ｌ型ロッド５９を出し、そして下側の前記クリーニング盤５３を上方へ適合な位置に移動させ、前記クリーニングモーター６４を始動し、前記動力軸６３と前記第一歯車６２とを回転連動させ、前記第二歯車６１と前記縦軸５６が駆動されて回転し、前記第一プーリ５２と前記プーリ軸５０とが駆動されて回転し、上側の前記クリーニング盤５３が駆動されて回転し、前記第一歯車６２が回転して前記回転軸６７を回転させ、前記クリーニング軸６６と下側の前記クリーニング盤５３とを駆動して回転させることにより入れ歯をクリーニングし、それと同時に、前記動力軸６３が回転して前記第二プーリ７０を回転連動させ、前記押し軸７１を回転させ、前記押し板７２を上方に移動させ、前記貯水空間７３にある浄水を前記ノズル９１を介して入れ歯に吹付け、こうして洗浄を徹底できる。
【００２１】
本願発明の効果は：生活水準が高くなることに伴い、人々は休みの間でたくさんの甘いものを食べて口腔の衛生に注意しなく、歯をひどく傷つけ、歯が抜けた人の年齢も低くなり、医療レベルが高いことで中国の人口高齢化が深刻となり、従い、中国では多くの高齢者は入れ歯をつけ、入れ歯の製造材料として最適なのは生物バイオセラミックスであり、でも、多くの人は入れ歯のクリーニングに注意しなく、特に高齢者では、知識レベルが低く、いつも入れ歯をクリーニングしなくてつけることは普通であり、少量の高齢者は入れ歯を外して歯ブラシでクリーニングするが、入れ歯表面についた汚れを除去できても、歯の間に残った細菌を完全に除去できなく、本願発明は洗浄液により、入れ歯を浸し、そしてバイオセラミック入れ歯にある細菌を完全に除去し、次に、クリーニング装置にある軟質ブラシにより、入れ歯に対するクリーニングを徹底し、軟質ブラシは最大限で入れ歯の表面を保護し、入れ歯に凸凹を生じさせることを防止し、細菌が隠される可能性を排除し、本願発明は普及する価値がある。
【００２２】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】      （修正有）【課題】バイオセラミック入れ歯のクリーニング装置を提供する。【解決手段】本体２０を含み、前記本体の中にはクリーニング空間５５が設置され、前記クリーニング空間の上側にはプーリ空間４９が設置され、前記クリーニング空間の下側には底部空間６９が設置され、前記プーリ空間と前記底部空間とが側辺空間５７により連通され、前記底部空間と前記プーリ空間との間にはバイオセラミック入れ歯をクリーニングできる除去装置１０１が設置され、洗浄液により、入れ歯を浸し、そしてバイオセラミック入れ歯にある細菌を完全に除去し、次に、クリーニング装置にある軟質ブラシ５４により、入れ歯に対するクリーニングを徹底し、軟質ブラシは最大限で入れ歯の表面を保護し、入れ歯に凸凹を生じさせることを防止し、細菌が隠される可能性を排除する。【選択図】図１【図１】
0006813742.tif 000002
【図２】
0006813742.tif 000003
【図３】
0006813742.tif 000004
【図４】
0006813742.tif 000005
【図５】
0006813742.tif 000006